(57)【要約】【課題】  サッシ下枠に結露水が床仕上げ材を濡らさないように突条縁が突出形成されていても、サッシ下枠と床仕上げ材とを段差を感じさせることなく連結することができ、デザイン的にも優れた住宅における床構造と、その取付け方法を提供する。【解決手段】  躯体の開口部Ｘに、サッシ枠固定アングル１２が室内側に突出するようサッシ下枠を設置したのち、サッシ枠固定アングル１２と床下張り材１４間に樹脂製のスペーサ１５を介装固定し、このスペーサ１５に連接させて床見切り材１６を構成するベース部材１７を配置固定し、ついで、床仕上げ材１９を、一方の端部がベース部材１７の側縁部と当接するように敷設し、床仕上げ材の敷設が完了後に、ベース部材１７にキャップ部材１８を装着して住宅における床構造１０とする。【選択図】      図１
2005320800.tif 000002
【特許請求の範囲】
【請求項１】
躯体の開口部に設置されるサッシ下枠に形成されたサッシ枠固定アングルを、室内側に突出させるとともに、
前記サッシ枠固定アングルと床下張り材間に樹脂製のスペーサを、サッシ枠固定アングルの突条縁よりも室内側に突出させた状態で介在させ、
前記床下張り材上に敷設した床仕上げ材とスペーサ間に生じる隙間に、床見切り材を形成するベース部材を配置するとともに、このベース部材にキャップ部材を装着し、
前記キャップ部材の両側縁に長手方向に沿って突出形成された、先端が肉薄となるよう面取りされた鍔部を、スペーサおよび床仕上げ材の端部上に当接し、前記サッシ枠固定アングルに形成された突条縁と床仕上げ材間に段差がなくなるよう連結したこと
を特徴とする住宅における床構造。
【請求項２】
前記床見切り材は、
所要長さを有する基板上に長手方向に沿って一対の溝状レールを、間隔を存して配置したベース部材と、前記各溝状レールと係合する一対の係合片を裏面に有するキャップ主体の長手方向に沿った側縁に、それぞれ先端が肉薄となるよう上面が面取りされた鍔部を一体的に形成したキャップ部材からなること
を特徴とする請求項１に記載の住宅における床構造。
【請求項３】
前記床見切り材は、
前記ベース部材が樹脂又は弾性材で、キャップ部材が木質材又は樹脂で形成されていること
を特徴とする請求項１又は２に記載の住宅における床構造。
【請求項４】
前記スペーサは、
ポリウレタン、ポリプロピレン、ＡＢＳなどの発泡合成樹脂で成形されていること
を特徴とする請求項１に記載の住宅における床構造。
【請求項５】
前記スペーサの突出長さは、
前記サッシ枠固定アングルの突条縁よりも室内側に、前記床見切り材の鍔部の長さとほぼ等しい長さであること
を特徴とする請求項１に記載の住宅における床構造。
【請求項６】
躯体に形成された開口部に、サッシ下枠に形成されたサッシ枠固定アングルが室内側に突出するようサッシ下枠を設置したのち、
前記サッシ枠固定アングルと床下張り材間に樹脂製のスペーサを、当該スペーサの一部がサッシ枠固定アングルの先端部に形成された突条縁よりも、室内側に突出する状態で介装固定させるとともに、
このスペーサに連接させて、床下張り材上に床見切り材を構成するベース部材を配置固定し、
ついで、床下張り材上に床仕上げ材を、一方の端部が前記ベース部材の側縁部と当接するように敷設し、
前記床仕上げ材の敷設が完了後に、前記ベース部材にキャップ部材を装着し、キャップ部材の長手方向に沿う両側縁に突出形成された、先端が肉薄となるよう面取りされた鍔部を、スペーサおよび床仕上げ材の端部上に当接させて両部材を連結し、前記突条縁と床仕上げ材の高さが略同一となるよう施工すること
を特徴とする住宅における床構造の取付け方法。
【発明の詳細な説明】
【技術分野】
【０００１】
この発明は、戸建やマンションなどの集合住宅における床構造、より詳しくは、室内と室外との間に生ずる小段差を解消することができ、デザイン的にも見栄えのする住宅における床構造及びその取付け方法に関するものである。
【背景技術】
【０００２】
たとえば、特開平１１−２４１５７０号公報（特許文献１）においては、従来のツーバイフォー住宅のテラスやベランダ等の、出入口となる窓の下枠取付構造としては、例えば図４に示すように、床根太の上に床下張材を床張りした開口部において、側根太Ｂの上面に床張りした床下張材Ｃ上に窓用サッシの下枠Ａの一部を取付け、そして床仕上げ材より突出した室内側仕切板Ｆに堰堤状の化粧枠Eを取付けて室内側段差部を保護したものが知られていた、と開示している。
【０００３】
そして、同出入口となる窓の下枠取付構造、床下張材の上に窓用サッシの下枠の一部を取付けているため、下枠の室内側仕切板の高さが、床下張材の上に設ける床仕上げ材の厚みより高くなって、下枠の取付部分が床上げ面より突出し、したがってこの室内側仕切板に取付ける化粧枠も床仕上げ面より突出して配置されて段差が生ずることになり、テラスやベランダヘの出入りに際して障害となり、また、掃除の掃出し口としても不便である等の問題点を有していた、とも指摘している。
【０００４】
その上で、特許文献１では、かかる問題点を解消するため、室内側に仕切板を備えた主体枠、及び、床下張材上の床仕上げ材の端部を押さえる端部用アタッチメントから成る、ツーバイフォー住宅の窓用サッシ下枠の取付構造において、前記主体枠の室内側部分を、床下張材が存在しない空間において側根太の上面に載置し、前記端部用アタッチメントを前記仕切板に高さ調節自在に係止し、床仕上げ材の上面と仕切板の上面との段差を解消するツーバイフォー住宅の窓用サッシの下枠取付け構造を提案している。
【０００５】
一方、特開平１０−２９２６０１号公報（特許文献２）においては、床仕上げ材の端部間に床見切り材を配置して連結するに際し、異なった高さレベルに仕上げられた床仕上げ材の端部間を、矩形状となされた本体の上端一側部から、床仕上げ材の高さレベルの差に相当する厚みで延設された鍔部を有する断面形状となされた床見切り材によって、床仕上げ材の端部間に、床見切り材の本体部分が差し込まれた状態で、高い側の床仕上げ材の端部表面が、床見切り材の表面と面一となされるとともに、低い側の床仕上げ材の端部表面が、床見切り材の鍔部によって覆われ、かつ、この鍔部の先端に施された面取部によって低い側の床仕上げ材と床見切り材との表面を、滑らかに連続することが提案されている。
【特許文献１】特開平１１−２４１５７０号公報（特許請求の範囲、図３）
【特許文献２】特開平１０−２９２６０１号公報（特許請求の範囲、図１）
【発明の開示】
【発明が解決しようとする課題】
【０００６】
しかしながら、前記特許文献１で提案された窓用サッシの下枠取付け構造においては、室内側に突出するサッシ枠固定アングル（前記アタッチメントに相当）の室内側の端縁に沿って、上方に向けて、サッシ枠に結露水によって、床仕上げ材が濡れないように、高さ３〜５ｍｍ程度の突条縁が一体的に形成されている。
【０００７】
すなわち、図２に示すように、従来の一般的な窓用サッシの下枠取付け構造１は、窓などを形成するため、躯体に形成された開口部Ｘに、サッシ枠固定アングル３が形成されたサッシ下枠２を、前記サッシ枠固定アングル３を室内側に突出させ、このサッシ枠固定アングル３と床下張り材５との間に、フローリングボード（以下、単にフローリングという。）や絨毯などからなる床仕上げ材６の端部を装着して床構造を形成した場合、サッシ枠固定アングル３に形成された突条縁４のみが、平坦な床仕上げ材６上に顕出する。この突条縁４は、高さが５ｍｍ以下であるので、高齢者対応住宅の基準を満たし、当然車椅子での出入りも可能ではあるが、足の裏で踏めば痛みを感ずるレベルのものである。
【０００８】
さらに、図２において、たとえば、前記開口部と反対側にも開口部を形成する場合、あるいは反対側に敷居などが付設される場合、前記サッシ枠固定アングル３の下方に、所要幅の木製の木枠材７を配置し、両者を木ネジなどで固着する場合がある。この場合、木枠材７が既にサッシ枠固定アングル３に固定されているため、工事中に、先行して取付けられた木枠材７の表面が損傷されるので、工事に細心の注意が求められ、きわめて煩瑣なものとなる。
【０００９】
また、特許文献２に記載の床見切り材は、高さの異なる床仕上げ材間を可及的に段差が解消されるよう構成されてはいるものの、窓用の開口部に設置されるサッシ下枠と床仕上げ材間を段差なく連結することは、全く想定されていない。
【００１０】
この発明はかかる現状に鑑み、サッシ下枠に結露水が床仕上げ材を濡らさないように突条縁が突出形成されていても、サッシ下枠と床仕上げ材とを段差を感じさせることなく連結することができ、デザイン的にも優れた住宅における床構造と、その取付け方法を提供せんとするものである。
【課題を解決するための手段】
【００１１】
前記の目的を達成するため、この発明の請求項１に記載の発明は、
躯体の開口部に設置されるサッシ下枠に形成されたサッシ枠固定アングルを、室内側に突出させるとともに、
前記サッシ枠固定アングルと床下張り材間に樹脂製のスペーサを、サッシ枠固定アングルの突条縁よりも室内側に突出させた状態で介在させ、
前記床下張り材上に敷設した床仕上げ材とスペーサ間に生じる隙間に、床見切り材を形成するベース部材を配置するとともに、このベース部材にキャップ部材を装着し、
前記キャップ部材の両側縁に長手方向に沿って突出形成された、先端が肉薄となるよう面取りされた鍔部を、スペーサおよび床仕上げ材の端部上に当接し、前記サッシ枠固定アングルに形成された突条縁と床仕上げ材間に段差がなくなるよう連結したこと
を特徴とする住宅における床構造である。
【００１２】
また、この発明の請求項２に記載の発明は、
請求項１に記載の住宅における床構造において、
前記床見切り材は、
所要長さを有する基板上に長手方向に沿って一対の溝状レールを、間隔を存して配置したベース部材と、前記各溝状レールと係合する一対の係合片を裏面に有するキャップ主体の長手方向に沿った側縁に、それぞれ先端が肉薄となるよう上面が面取りされた鍔部を一体的に形成したキャップ部材からなること
を特徴とするものである。
【００１３】
また、この発明の請求項３に記載の発明は、
請求項１又は２に記載の住宅における床構造において、
前記床見切り材は、
前記ベース部材が樹脂又は弾性材で、キャップ部材が木質材又は樹脂で形成されていること
を特徴とするものである。
【００１４】
また、この発明の請求項４に記載の発明は、
請求項１に記載の住宅における床構造において、
前記スペーサは、
ポリウレタン、ポリプロピレンなどの発泡合成樹脂で成形されていること
を特徴とするものである。
【００１５】
また、この発明の請求項５に記載の発明は、
請求項１に記載の住宅における床構造において、
前記スペーサの突出長さは、
前記サッシ枠固定アングルの突条縁よりも室内側に、前記床見切り材の鍔部の長さとほぼ等しい長さであること
を特徴とするものである。
【００１６】
さらに、この発明の請求項６に記載の発明は、
躯体に形成された開口部に、サッシ下枠に形成されたサッシ枠固定アングルが室内側に突出するようサッシ下枠を設置したのち、
前記サッシ枠固定アングルと床下張り材間に樹脂製のスペーサを、当該スペーサの一部がサッシ枠固定アングルの先端部に形成された突条縁よりも、室内側に突出する状態で介装固定させるとともに、
このスペーサに連接させて、床下張り材上に床見切り材を構成するベース部材を配置固定し、
ついで、床下張り材上に床仕上げ材を、一方の端部が前記ベース部材の側縁部と当接するように敷設し、
前記床仕上げ材の敷設が完了後に、前記ベース部材にキャップ部材を装着し、キャップ部材の長手方向に沿う両側縁に突出形成された、先端が肉薄となるよう面取りされた鍔部を、スペーサおよび床仕上げ材の端部上に当接させて両部材を連結し、前記突条縁と床仕上げ材の高さが略同一となるよう施工すること
を特徴とする住宅における床構造の取付け方法である。
【発明の効果】
【００１７】
この発明の住宅における床構造は、躯体の開口部に、サッシ枠固定アングルを室内側に突出する状態でサッシ下枠を設置した際、前記サッシ枠固定アングルに形成された突条縁と床仕上げ材間に５ｍｍ以下の段差があっても、その段差をほぼ完全に解消することができるものである。
【００１８】
特に、この発明においては、前記サッシ枠固定アングルと床下張り材間に樹脂製のスペーサを、サッシ枠固定アングルの突条縁よりも室内側に突出させた状態で介在させることによって、断熱効果を高め、サッシ下枠に結露水が付着することを防止することができるとともに、結露水による腐食に対しても有効であるので、長期の使用に耐えることが可能となるものである。
【００１９】
また、先に敷設されるスペーサの表面が損傷されたとしても、当該表面は爾後床見切り材のキャップ部材に形成された鍔部によって覆われるため、損傷の痕が表面には顕出することがなく、工事を容易に行なうことができる。
【００２０】
さらに、この発明の住宅における床構造の取付け方法は、躯体の開口部に設置されるサッシ下枠のサッシ枠固定アングルの先端部に、結露水が流れて床仕上げ材の表面を汚損することを防止するための５ｍｍ以下の突条縁があっても、当該突条縁と床仕上げ材の表面間に生ずる段差をほぼ完全に解消することができ、しかも見栄えのする床構造を提供することができる。
【００２１】
以下、この発明にかかる住宅における床構造及びその取付け方法を、添付の図面に基づいて具体的に説明するに、この発明の住宅における床構造１０は、躯体の開口部Ｘに設置されるサッシ下枠１１と、樹脂製のスペーサ１５と、床見切り部材１６と、床仕上げ材１１９とから構成されるものである。
【００２２】
前記サッシ下枠１１は、図１で明らかなように、押出成形により一体的に成形される枠主体１１ａと、この枠主体１１ａの側端部に一体成形された水平方向に延出するサッシ枠固定アングル１２とから構成されるもので、前記サッシ枠固定アングル１２の先端部には、長手方向に沿って３ｍｍの高さの突条縁１３が一体的に形成されている。
【００２３】
前記スペーサ１５は、ポリウレタン、ポリプロピレンなどの発泡合成樹脂で成形されたもので、床下張り材１４と前記サッシ枠固定アングル１２間に介装固定されるもので、固定に際しては、その一部が、図１に示すように、サッシ枠固定アングル１２の先端縁から室内側に突出させた状態で固着する。その突出幅は、後述する床見切り材１６を構成するキャップ部材１８の鍔部１８ｂの幅とほぼ等しくさせるものである。
【００２４】
前記床見切り部材１６は、スペーサ１５と床仕上げ材１９との間に形成される溝状の隙間に装着固定されるベース部材１７と、このベース部材１７の上部を覆うキャップ部材１８とから構成されるもので、一方のベース部材１７は、ポリプロピレンやポリエステルなどの樹脂、または天然ゴムや合成ゴムなどの弾性材で、他方のキャップ部材は、ベース部材と同様の樹脂又は木質材で一体的に形成されるものである。
【００２５】
前記のベース部材１７は、図１で明らかなように、所要長さを有する基板１７ａ上に長手方向に沿って一対の溝状レール１７ｂ，１７ｂを、間隔を存して配置してなるものであるが、キャップ部材１８を係合保持する構成を有するものであれば、前記溝状レール１７ｂ，１７ｂである必要はないものである。
【００２６】
前記キャップ部材１８は、前記ベース部材１７の基板１７ａとほぼ同幅のキャップ主体１８ａの両側縁に、長手方向に沿ってそれぞれ鍔部１８ｂ，１８ｂを一体的に突出形成したもので、各鍔部１８ｂは、先端が肉薄となるよう上面が面取りされるとともに、キャップ主体１８ａの下には、前記一対の溝状レール１７ｂ，１７ｂと係合する一対の係合片１８ｃ，１８ｃが一体的に形成されてもので、この構成においては、ベース部材１７の溝状レール７１ｂ内にそれぞれ幅方向に係合凹部を、キャップ部材１９の係合片１８ｃには、前記係合凹部と係合する係合凸部をそれぞれ形成し、各係合凹部と係合凸部とを係合させることによって、両者の係合をより確実にさせることが好ましい。
【００２７】
前記床仕上げ材１９は、多くの場合、表面加工・「さねはぎ」加工、その他所要の加工を施した単層フローリングが使用されるが、絨毯であってもよい。また、場合によっては、例えば、長さの等しい広葉樹の板を３枚以上並べて正方形に接合したブロックであってもよいものである。
【００２８】
以下、かかる部材を使用して床構造を取付ける方法を具体的に説明すると、まず、躯体の開口部Ｘにサッシ下枠１１を、当該サッシ下枠１１に一体的に成形されたサッシ枠固定アングル１２が室内側に突出するようにして固定したのち、前記サッシ枠固定アングル１２の下面と床下張り材１４との間に形成される空隙内に、当該空隙の高さと同じ高さの、ポリウレタンからなる発泡合成樹脂製のスペーサ１５を介装するものである。
【００２９】
その際、スペーサ１５は、図１で明らかなように、その一部が、サッシ枠固定アングル１２の先端部から室内側に突出するようにして、床下張り材１４上に接着剤を使用して固着するもので、その突出幅は、床見切り材１８を構成するキャップ部材１８の鍔部１８ｂの幅とほぼ等しくさせるものである。
【００３０】
ついで、このスペーサ１５に連接するようにして、床下張り材１４上に接着剤を使用して床見切り材１６のベース部材１７を固着したのち、フローリングからなる床仕上げ材１９を、ベース部材１７から他方端に向けて順次敷設していく。この場合、他方端からベース部材１７に向けて床仕上げ材１９を敷設することも当然可能である。
【００３１】
かくして床仕上げ材１９を床下張り材１５上に敷設し終わると、前記スペーサ１５と床仕上げ材１９との間にあるベース部材１７の上方からキャップ部材１８を装着すれば、キャップ部材１８に形成された一方の鍔部１８ｂがスペーサ１５の突出部の上面を、他方の鍔部１８ｂが床仕上げ材１９の端縁部の上面を覆うので、サッシ枠固定アングル１２の突条縁１３と床仕上げ材１９との間に形成された段差がほぼ解消される。
【００３２】
なお、この実施例においては、サッシ枠固定アングル１２は、その先端部に、長手方向に沿って上方に向かう３ｍｍの高さの突条縁１３を一体的に形成しているが、下方にも同様に３ｍｍ以下の突条縁（図示せず）を形成し、断面がほぼＴ字状としたサッシ枠固定アングルも存在するので、この場合には、先端部上面を前記キャップ部材１８の鍔部１８ｂの幅と同幅で、かつその高さが敷設しようとする床仕上げ材の高さとなるように形成するとともに、他の上面を下方に延びる突条縁の高さ分だけ切欠き、断面ほぼＬ字状とした形状としたスペーサを使用する。
【図面の簡単な説明】
【００３３】
【図１】この発明の住宅における床構造の一例を示す一部切欠き断面図である。
【図２】従来の住宅における床構造の一例を示す一部切欠き断面図である。
【符号の説明】
【００３４】
１０        床構造
１１        サッシ下枠
１２        サッシ枠固定アングル
１３        突条縁
１４        床下張り材
１５        スペーサ
１６        床見切り材
１７        ベース部材
１８        キャップ部材
１９        床仕上げ材
【図１】
2005320800.tif 000003
【図２】
2005320800.tif 000004